(57)【要約】【課題】コネクタハウジングがユニットケースから抜け出るのを防止する。【解決手段】基板用コネクタＫは、基板５０に固定されるコネクタハウジング１０と、コネクタハウジング１０を基板５０ともども収容する箱形のユニットケース７０とを備える。ユニットケース７０には同ユニットケース７０の挿入口７３に臨む開口端から奥端にかけて延出された受け溝７１を有する取付板８２が形成され、コネクタハウジング１０には第一脚部１６が突出して形成されている。コネクタハウジング１０は、取付板８２に対して第一脚部１６を受け溝７１の開口端から奥端に向けてスライドしつつ装着することにより、挿入口７３を通してユニットケース７０内に挿入される。コネクタハウジング１０の挿入後、ユニットケース７０には挿入口７３を閉止するカバー９０が被せ付けられ、カバー９０に設けられた止め部９３によって第一脚部１６の抜け止めがなされる。【選択図】図８
2008034195.tif 000002
【特許請求の範囲】
【請求項１】
相手側コネクタハウジングに嵌合可能とされるとともに、回路基板に固定されるコネクタハウジングと、このコネクタハウジングを前記回路基板ともども収容する箱形のユニットケースとを備え、
前記ユニットケースの一端面は前記コネクタハウジングの挿入口として開口され、前記ユニットケースには前記挿入口に臨む開口端から奥端にかけて延出された受け溝を有する取付板が形成され、前記コネクタハウジングには脚部が突出して形成されており、
前記コネクタハウジングは、前記取付板に対して前記脚部を前記受け溝の開口端から奥端に向けてスライドしつつ装着することにより、前記挿入口を通して前記ユニットケース内に挿入されるようになっており、かつ、このコネクタハウジングの挿入後、前記ユニットケースには前記挿入口を閉止するカバーが被せ付けられ、前記カバーには前記脚部と当接してその抜け止めをなす止め部が形成されていることを特徴とする基板用コネクタ。
【請求項２】
前記受け溝は、その奥端に行くほど徐々に溝幅を狭める形態となっていることを特徴とする請求項１に記載の基板用コネクタ。
【請求項３】
前記コネクタハウジングは、前記相手側コネクタハウジングとの嵌合方向と同方向に前記回路基板の板面方向を向けた第一状態と、前記嵌合方向と直交する方向に前記回路基板の板面方向を向けた第二状態とを選択的にとり得る構成とされ、前記第一状態と前記第二状態のいずれかの状態において、前記脚部が前記回路基板に設けられた孔に圧入されることで、前記コネクタハウジングが前記回路基板に固定されることを特徴とする請求項１または請求項２に記載の基板用コネクタ。
【発明の詳細な説明】
【技術分野】
【０００１】
本発明は、基板用コネクタに関する。
【背景技術】
【０００２】
特許文献１には、コネクタハウジングが回路基板にねじ止めによって固定される技術が開示されている。しかし、ねじ止め作業は面倒であり、ビスが別途必要とされるので部品管理が煩わしいという問題がある。加えて、仮に、このコネクタハウジングを回路基板ごとユニットケースに収容しようとした場合に、コネクタハウジングをユニットケースに同じくねじ止めによって固定しようとすると、全体の構造が極めて複雑となるという問題がある。
【０００３】
一方、特許文献２には、コネクタハウジングがユニットケースに圧入状態で装着される技術が開示されている。このものは、互いが合致することで一つのユニットケースを構成する上下一対のカバーを備え、各カバーに設けられた凹部にコネクタハウジングに設けられた凸部を凹凸嵌合することで、コネクタハウジングが両カバー間に挟まった状態で固定されるというものである。これによれば、ねじ止め作業が不要とされるので、ねじ止めのための作業負担および部品管理上の煩わしさをなくすことができる。
【特許文献１】特開２００５−１５００１６公報
【特許文献２】特開２０００−９２６５２公報
【発明の開示】
【発明が解決しようとする課題】
【０００４】
しかし、上記の場合は、上下一対のカバー間でコネクタハウジングを挟着保持する構成であって、上下一対のカバーが存在することを前提としていた。そのため、例えば、上下両面が閉止されて側面のみ開口された一体型のユニットケースに対しその側面開口部からコネクタハウジングをスライドして装着しようとすると、上記構成を採用し得ないという事情があった。また、仮に、コネクタハウジングのスライド装着を可能とする構造に改良できたとしても、コネクタハウジングがユニットケースから簡単に抜け出るような構成であれば、実用的な価値は低いという事情を考慮する必要があった。
【０００５】
本発明は上記のような事情に基づいて完成されたものであって、ユニットケースにコネクタハウジングを圧入によって装着する場合に、コネクタハウジングのスライド装着を可能とした上で、コネクタハウジングがユニットケースから抜け出るのを防止することを目的とする。
【課題を解決するための手段】
【０００６】
上記の目的を達成するための手段として、請求項１の発明は、相手側コネクタハウジングに嵌合可能とされるとともに、回路基板に固定されるコネクタハウジングと、このコネクタハウジングを前記回路基板ともども収容する箱形のユニットケースとを備え、前記ユニットケースの一端面は前記コネクタハウジングの挿入口として開口され、前記ユニットケースには前記挿入口に臨む開口端から奥端にかけて延出された受け溝を有する取付板が形成され、前記コネクタハウジングには脚部が突出して形成されており、前記コネクタハウジングは、前記取付板に対して前記脚部を前記受け溝の開口端から奥端に向けてスライドしつつ装着することにより、前記挿入口を通して前記ユニットケース内に挿入されるようになっており、かつ、このコネクタハウジングの挿入後、前記ユニットケースには前記挿入口を閉止するカバーが被せ付けられ、前記カバーには前記脚部と当接してその抜け止めをなす止め部が形成されている構成としたところに特徴を有する。
【０００７】
請求項２の発明は、請求項１に記載のものにおいて、前記受け溝は、その奥端に行くほど徐々に溝幅を狭める形態となっているところに特徴を有する。  
請求項３の発明は、請求項１または請求項２に記載のものにおいて、前記コネクタハウジングは、前記相手側コネクタハウジングとの嵌合方向と同方向に前記回路基板の板面方向を向けた第一状態と、前記嵌合方向と直交する方向に前記回路基板の板面方向を向けた第二状態とを選択的にとり得る構成とされ、前記第一状態と前記第二状態のいずれかの状態において、前記脚部が前記回路基板に設けられた孔に圧入されることで、前記コネクタハウジングが前記回路基板に固定されるところに特徴を有する。
【発明の効果】
【０００８】
＜請求項１の発明＞
ユニットケース内にその挿入口からコネクタハウジングを挿入すると、コネクタハウジングの脚部が受け溝の開口端から奥端側へと受け溝内をスライド移動し、コネクタハウジングの挿入動作が案内される。コネクタハウジングの挿入後、ユニットケースの挿入口はカバーによって閉止され、これに伴ってコネクタハウジングの脚部はカバーの止め部によって抜け止めされる。したがって、コネクタハウジングは、ユニットケースに対してスライド装着されるとともに、カバーの閉止に伴ってユニットケースから抜け出るのが防止される。
【０００９】
＜請求項２の発明＞
受け溝がその奥端に行くほど徐々に溝幅を狭める形態となっているから、脚部が受け溝への進入動作を開始した開口端側では、脚部と受け溝の溝面との間の摩擦抵抗を小さく設定でき、脚部が受け溝への進入動作を終える奥端側では、脚部と受け溝の溝面との間の摩擦抵抗を大きく設定できる。したがって、コネクタハウジングがユニットケースへの挿入動作を終える終盤段階でのみ、脚部が受け溝内に緊密に圧入される状態を構成することが可能となる。結果、コネクタハウジングの挿入途上における挿入力を低減でき、コネクタハウジングの挿入作業性が良好となる。  
＜請求項３の発明＞
コネクタハウジングは第一状態と第二状態とを選択的にとり得る構成とされ、要求される仕様に応じて変更可能とされる。つまり、コネクタハウジングの共用化によって両状態に対応する２種類のコネクタハウジングを用意しなくて済むようになっている。この場合に、脚部は第一状態と第二状態のいずれかの状態において、回路基板に設けられた孔に圧入され、これによってコネクタハウジングが回路基板に固定されるから、コネクタハウジングに回路基板への固定用構造を別途設ける必要がなく、コネクタハウジング全体の構造を簡素化できる。
【発明を実施するための最良の形態】
【００１０】
＜実施形態１＞
本発明の実施形態１を図１ないし図９によって説明する。本実施形態の基板用コネクタＫは、コネクタハウジング１０と、端子金具３０と、回路基板（プリント配線基板であって、以下、単に基板５０という）と、ユニットケース７０と、カバー９０とを備えて構成される。
【００１１】
コネクタハウジング１０は合成樹脂製であって、図３ないし図５に示すように、高さ方向に長い方形ブロック状の端子装着部１１と、端子装着部１１より前方において高さ方向に一回り大きく形成された角筒状のフード部１２とを備え、図示しない相手側コネクタハウジングと嵌合可能とされる。端子装着部１１には、一直線上に延びた端子金具３０が略水平に圧入される端子差込孔１３が高さ方向および幅方向に複数整列して設けられている。端子差込孔１３には端子金具３０の中間部が差し込まれ、端子金具３０の前端部はフード部１２内に突出して配され、端子金具３０の後端部は端子装着部１１の後面より後方へ突出して配される。端子装着部１１の後面には、端子差込孔１３に連なる端子金具３０の誘い込み面１４がラッパ状に開口して形成されている。フード部１２の開口端には、相手側コネクタハウジングを係止することで、両コネクタハウジングを離脱規制状態に保持するロック部１５が突設されている。
【００１２】
端子装着部１１には、複数本の脚部１６，１７が突設されている。脚部１６，１７は、全体として棒状をなし、端子装着部１１の後面における四隅に一本ずつ、端子装着部１１の下面両端における幅方向の同軸上に一本ずつ、合計六本設けられている。脚部１６，１７のうち、端子装着部１１の下面に設けられたもの（本発明における脚部であって、以下、第一脚部１６という）は、ユニットケース７０に設けられた受け溝７１に圧入されることで、コネクタハウジング１０をユニットケース７０に取り付ける役割を果たし、脚部１６，１７のうち、端子装着部１１の後面に設けられたもの（以下、第二脚部１７という）は、基板５０に設けられた孔５１に圧入されることで、コネクタハウジング１０を基板５０に固定する役割を果たす。もっとも、コネクタハウジング１０は、後述するように、基板５０の取り付け位置を変更することによってその使用態様を第一状態と第二状態とに切り替え可能とされ、本状態を第一状態として、第二状態における第一脚部１６は、基板５０に設けられた孔５１に圧入されることで、コネクタハウジング１０を基板５０に固定する役割を兼用するものである。
【００１３】
詳細には脚部１６，１７は、端子装着部１１の後面から突出する略角柱状の台座１８と、台座１８の端面から突出する脚部本体１９とからなり、さらに、脚部本体１９は、略円柱状の軸部２１と、第一脚部１６については軸部２１の前後方向（相手側コネクタハウジングに対する嵌合方向と同じ）の両端位置にて、第二脚部１７については軸部２１の高さ方向の両端位置にて、それぞれ、軸部２１の長さ方向に沿って配されるリブ２２とからなる。そして、脚部１６，１７の先端には、全周に亘ってテーパ状の面取り部２３が形成されており、この面取り部２３は軸部２１の先端からリブ２２の先端にかけて連続して切り欠かれた部分を含んで構成される。
【００１４】
基板５０は、コネクタハウジング１０が第一状態にあるときに、コネクタハウジング１０の後面に対向して垂直方向（相手側コネクタハウジングに対する嵌合方向と直交する方向）にその板面方向を向けた状態で配置される。基板５０には、端子金具３０と対応する位置に、複数のスルーホール５２が貫通して形成され、脚部１６，１７と対応する位置に、孔５１が貫通して形成されている。第一状態にあっては、第二脚部１７が基板５０の孔５１に貫通係合する。
【００１５】
一方、図９に示すように、基板５０は、コネクタハウジング１０が第二状態にあるときに、コネクタハウジング１０の下面に対向して水平方向（相手側コネクタハウジングに対する嵌合方向）にその板面方向を向けた状態で配される。この場合、端子金具３０Ａは、端子装着部１１を貫通して前端部がフード部１２内に臨むとともに後端部が端子装着部１１の後面より後方に突き出る水平部３３と、水平部３３の後端から垂下されてその下端部が基板５０のスルーホール５２に挿通される垂直部３４とからなり、全体としてＬの字状に屈曲された形態となる。各端子金具３０Ａのうち、下段に位置するものは、上段に位置するものの内側に配される。これに対し、コネクタハウジング１０の構造については、第一状態と第二状態とで変わりなく、この第二状態においては、第一脚部１６が基板５０の孔５１に貫通係合する。
【００１６】
続いて、ユニットケース７０について説明する。ユニットケース７０は、図１、図２、および図６に示すように、全体として箱形をなし、その側面を構成する四面のうちの二面が開口されている。すなわち、ユニットケース７０の前面は使用時においてコネクタハウジング１０の貫通口７２として開口され、ユニットケース７０の一側面は同ユニットケース７０への挿抜時においてコネクタハウジング１０の挿入口７３として開口されている。
ユニットケース７０の上下両壁の後端幅方向中央には、一対の取付部７４が板状に張り出して形成されている。取付部７４にはボルト挿通孔７５が貫通して形成されており、このボルト挿通孔７５にボルト７６が挿通されて取付対象面７７に締め付けられることで、ユニットケース７０が取付対象面７７に固定されるようになっている。
【００１７】
また、ユニットケース７０の内部には、コネクタハウジング１０を挿入案内する仕切板７８が形成されている。仕切板７８は、ほぼ全幅に亘って延びるとともに上壁の内面から垂下される形態をなし、その前面にコネクタハウジング１０のフード部１２の後面が摺接状態で当接可能とされる。ユニットケース７０のうち、仕切板７８より後方領域は、基板５０の収容空間とされ、ここに基板５０が収められる。一方、仕切板７８より前方領域にはフード部１２の後部が収められ、フード部１２の前部はユニットケース７０の前面より前方へ突出して配される。さらに、ユニットケース７０の挿入口７３側における開口端面には、カバー９０の被着に伴ってカバー９０側から通されるボルト８１を締め付け可能なねじ孔７９が複数開口して形成されている。
【００１８】
そして、ユニットケース７０の下壁にはコネクタハウジング１０の第一脚部１６が装着可能とされ、ここがコネクタハウジング１０に対する取付板８２として機能する。取付板８２には、図６に示すように、同取付板８２の前後方向略中央に位置するとともに、挿入口７３に開口しつつ嵌合方向と交差する方向、詳しくは嵌合方向と直交する方向（幅方向であって、ユニットケース７０に対するコネクタハウジング１０の組み付け方向）に延出される受け溝７１が形成されており、この受け溝７１内にその開口から第一脚部１６がスライド移動しつつ進入して係合可能とされる。受け溝７１の奥端は、ループ状に閉じられ、ユニットケース７０の側板の近くに位置している。また、受け溝７１は開口端から奥端にかけて徐々にその溝幅を狭める形態とされる。第一脚部１６の最大外径、つまり対向するリブ２２の外端間の直径は、受け溝７１において、開口端側の溝幅より大きく、奥端側の溝幅より小さくなっている。よって、第一脚部１６は、受け溝７１の開口端側では遊嵌状態で配され、受け溝７１の奥端側では密嵌状態で配されるようになっている。なお、ユニットケース７０の前面は、取付板８２の前端および上壁の前端から立ち上げられた覆い壁８３によって部分的に閉止されており、この覆い壁８３の立ち上げ寸法は第一脚部１６の台座１８の突出寸法とほぼ同じとされる。
【００１９】
ユニットケース７０の挿入口７３は、同ユニットケース７０にコネクタハウジング１０を収容した後、カバー９０によって閉止される。カバー９０は、挿入口７３を被覆可能な平板状をなし、ユニットケース７０側のねじ孔７９と対応する位置に、ねじ通し孔９１を有している。カバー９０の一端には、ユニットケース７０側の段差部８８に当接することでカバー９０の幅方向の位置ずれを規制する突片９２が前方へ突出して形成されている。また、カバー９０の下端には、ユニットケース７０側の受け溝７１と対応する位置に、止め部９３が前方へ突出して形成されている。止め部９３は、カバー９０の閉止に伴って受け溝７１内に進入され、受け溝７１内における第一脚部１６（二本の第一脚部１６のうち、挿入方向後方に位置する第一脚部１６、つまり受け溝７１内にあとから挿入される第一脚部１６）の側面に当接して、第一脚部１６の抜け止めをなすものである。
【００２０】
次に、本実施形態の作用を説明する。まず、コネクタハウジング１０の端子差込孔１３に後方から直線状の端子金具３０を圧入することで、コネクタハウジング１０に端子金具３０を装着する。全ての端子金具３０を圧入装着したら、続いて、端子金具３０の後端部を基板５０のスルーホール５２に挿通接続するとともに、第二脚部１７の後端を基板５０の孔５１に圧入しつつ、基板５０をコネクタハウジング１０の後面と略平行に配した状態で取り付ける。取り付け状態においては、台座１８の端面（脚部本体１９の基端周り）が基板５０の孔５１の開口縁に当接状態で載せられ、これにより、基板５０の取り付け位置および取り付け姿勢が決められる。
【００２１】
一方、コネクタハウジング１０を第二状態で使用する場合には、図９に示すように、コネクタハウジング１０の端子差込孔１３に後方から略Ｌの字に屈曲された形態の端子金具３０Ａを圧入することで、コネクタハウジング１０に端子金具３０Ａを装着した後、端子金具３０Ａの下端部を基板５０のスルーホール５２に挿通接続するとともに、第一脚部１６の垂直部３４の先端を基板５０の孔５１に圧入しつつ、基板５０をコネクタハウジング１０の下面と略平行に配した状態で取り付ける。このようにコネクタハウジング１０は、仕様に応じて垂直使用タイプ（第一状態）と水平使用タイプ（第二状態）とに使い分けることが可能となっている。
【００２２】
続いて、第一状態におけるコネクタハウジング１０はユニットケース７０に収容される。すなわち、図６に示すように、ユニットケース７０の受け溝７１の開口にコネクタハウジング１０の第一脚部１６を幅方向で同軸に対向させた状態から、コネクタハウジング１０をユニットケース７０の挿入口７３を通してユニットケース７０内に収容する。すると、挿入方向先方に位置する第一脚部１６（図６に示す矢線方向の前側、つまり左側の第一脚部１６）がまず受け溝７１内に進入するが、進入開始時点では受け溝７１内をこの第一脚部１６が遊嵌状態で配されるため、コネクタハウジング１０の挿入抵抗はさほど上昇することはない。
【００２３】
そして、この第一脚部１６が受け溝７１の奥端寄りの位置までスライド移動したところで、今度は、挿入方向後方に位置する第一脚部１６が受け溝７１の開口に進入する。さらに、挿入方向先方に位置する第一脚部１６が受け溝７１の奥端に到達すると、第一脚部１６のうちの前後に位置するリブ２２が受け溝７１の溝面に食い込むように緊密に当接して、コネクタハウジング１０が取付板８２に遊動規制状態で保持される。この状態では、挿入方向後方に位置する第一脚部１６は受け溝７１の開口端側に遊嵌状態で位置しており、この第一脚部１６のリブ２２は受け溝７１の溝面と非当接状態とされる。かくして、挿入方向先方に位置する第一脚部１６が受け溝７１の奥端に位置し、挿入方向後方に位置する第一脚部１６が受け溝７１が開口端寄りに位置することにより、コネクタハウジング１０はユニットケース７０内に正規深さで収容される。この場合、挿入方向先方に位置する第一脚部１６が受け溝７１の奥端に当て止めされることで、コネクタハウジング１０のそれ以上奥側への移動が規制される。
【００２４】
上記した状態では、挿入方向先方に位置する第一脚部１６が受け溝７１内に圧入状態にあることでコネクタハウジング１０の一次的な抜け止めはなされているものの、それは万全ではなく抜け方向に力が加わると、コネクタハウジング１０は挿入口７３を通してユニットケース７０から抜け出るおそれがある。これを防止するため、続いて、コネクタハウジング１０にカバー９０が取り付けられる。カバー９０は、図６に示すように、コネクタハウジング１０の挿入口７３を覆うように、コネクタハウジング１０の一側面に被せ付けられる。すると、図７に示すように、突片９２が段差部８８に凹凸状に係合するとともに、ねじ通し孔９１とねじ孔７９が整合状態で連通し、かつ、止め部９３が受け溝７１内に進入して挿入方向後方に位置する第一脚部１６の軸部２１に側方から当接する。この状態から、ボルト８１をねじ通し孔９１からねじ孔７９にかけて螺着し、カバー９０をユニットケース７０に固定する。かかるカバー９０の閉止に伴って、コネクタハウジング１０は、図８に示すように、ユニットケース７０内に抜け止め状態でかつ遊動規制状態で固定されるととなる。なお、コネクタハウジング１０が正規深さでユニットケース７０に収容されていない場合には、カバー９０の閉止に伴って止め部９３が挿入方向後方に位置する第一脚部１６を押圧することで、コネクタハウジング１０が正規収容位置に押し込まれる。
【００２５】
以上説明したように本実施形態によれば、ユニットケース７０内にその挿入口７３からコネクタハウジング１０を挿入すると、コネクタハウジング１０の第一脚部１６が受け溝７１の開口端から奥端側へと受け溝７１内をスライド移動し、コネクタハウジング１０の挿入動作が案内される。さらに、コネクタハウジング１０の挿入後、ユニットケース７０の挿入口７３はカバー９０によって閉止され、これに伴ってコネクタハウジング１０の第一脚部１６はカバー９０の止め部９３によって抜け止めされる。したがって、コネクタハウジング１０は、ユニットケース７０に簡単に挿入されるとともに、ユニットケース７０からの抜け止めが確実になされる。
【００２６】
また、受け溝７１の溝幅が開口端から奥端に行くにつれ少しずつ狭くなる形態となっているから、挿入方向先方に位置する第一脚部１６が受け溝７１の奥端に到達する挿入動作の終盤段階でのみ、受け溝７１の溝面に第一脚部１を圧接させることが可能となり、コネクタハウジング１０の挿入途中における挿入力を低減できる。  
さらに、第一脚部１６は、コネクタハウジング１０が第一状態にあるときにはユニットケース７０への取り付け用の脚部として機能し、コネクタハウジング１０が第二状態にあるときには基板５０への取り付け用の脚部として機能するから、第二状態に切り替えられても機能的に遊ぶことなく、有効利用される。
【００２７】
＜他の実施形態＞
本発明は上記記述及び図面によって説明した実施形態に限定されるものではなく、例えば次のような実施形態も本発明の技術的範囲に含まれる。  
（１）上記実施形態では、第一脚部は棒状に形成されていたが、本発明によれば、脚部の形状および本数については特に限定されることはなく、例えば、第一脚部は受け溝の長さ方向に延びるリブ状をなしていてもよい。  
（２）上記実施形態では、コネクタハウジングは第一状態と第二状態とに切り替え可能とされたが、本発明によれば、コネクタハウジングは第一状態のみとり得る構成であってもよい。  
（３）本発明において、挿入方向後方に位置する第一脚部を受け溝の開口端に位置させ、止め部を周囲と連続する平坦面として受け溝内に進入させることなく前記第一脚部に当接させる構成としてもよい。  
（４）本発明において、受け溝は開口端側から徐々に縮幅されるのではなく奥端側でのみ縮幅される形態であってもよい。  
（５）本発明において、カバーはヒンジを介してユニットケースに一体的に装着されていてもよい。これにより、部品点数を削減できる。
（６）本発明において、カバーはユニットケースに対して弾性係止されることで装着されてもよい。これにより、カバーのねじ止め作業も不要となる。
【図面の簡単な説明】
【００２８】
【図１】実施形態１の基板用コネクタの側断面図
【図２】ユニットケースの正面図
【図３】コネクタハウジングの正面図
【図４】コネクタハウジングの背面図
【図５】コネクタハウジングの側断面図
【図６】ユニットケース、コネクタハウジング、カバーの分解底面図
【図７】カバーをボルトで固定する前の状態を示す底面図
【図８】カバーをボルトで固定した状態を示す底面図
【図９】第二状態におけるコネクタハウジングの側断面図
【符号の説明】
【００２９】
Ｋ…基板用コネクタ
１０…コネクタハウジング
１２…フード部
１６…第一脚部（脚部）
１７…第二脚部
１９…軸部
５０…基板（回路基板）
７０…ユニットケース
７１…受け溝
８２…取付板
９０…カバー
９３…止め部
【図１】
2008034195.tif 000003
【図２】
2008034195.tif 000004
【図３】
2008034195.tif 000005
【図４】
2008034195.tif 000006
【図５】
2008034195.tif 000007
【図６】
2008034195.tif 000008
【図７】
2008034195.tif 000009
【図８】
2008034195.tif 000010
【図９】
2008034195.tif 000011